(57)【要約】【課題】ノンレールタイプの門において、門扉に剣先を設ける等、高さ方向のデザイン上の自由度を増大させると共にガイドボックスの小型化を可能にし、門の自動化を容易にする。【解決手段】門１ａは、ガイドボックス５と門扉７とを備え、ガイドボックス５の開放された端面９、１１を門扉７の出入り口とすると共に、ガイドボックス５の内部に支承ローラ１３を複数設け、支承ローラ１３を門扉７の前面側と後面側に配置して、支承ローラ１３を門扉７の前面部１７と後面部１９に水平に設けられているガイド棧１５に転がり接触させることによって門扉７をガイドボックス５に対してスライド自在に支持させるようにした。【選択図】        図４
2007070814.tif 000002
【特許請求の範囲】
【請求項１】
門扉と、前記門扉に設けられたガイド棧と、地面に対して固定状態で設けられるガイドボックスと、前記ガイドボックスに備えられた複数の支承ローラとを有し、前記ガイド棧に支承ローラが転がり接触して、門扉を地面から幾分持ち上げられた状態でスライド自在に支持する門において、前記ガイド棧を門扉の前面部と後面部に備え、且つ支承ローラを門扉の前面側と後面側に配置したことを特徴とする門。
【請求項２】
請求項１に記載した門において、ガイド棧には傾斜面が設けられ、前記傾斜面を支承ローラの外周面と接触する傾斜支持面としたことを特徴とする門。
【請求項３】
請求項２に記載した門において、傾斜支持面に対して直角な方向から接触するように支承ローラはガイドボックスに対して傾斜姿勢で設けられていることを特徴とする門。
【請求項４】
請求項２に記載した門において、支承ローラの外周面には傾斜支持面と対向するように同一傾斜角度の傾斜転接面が形成されており、前記傾斜支持面に対して当該傾斜転接面が対向する方向から接触するように前記支承ローラはガイドボックスに対して平行な垂直姿勢で設けられていることを特徴とする門。
【請求項５】
請求項２〜４のいずれかに記載した門において、傾斜支持面は支承ローラが外方から接触するよう外向きに設けられていることを特徴とする門。
【請求項６】
請求項２〜４のいずれかに記載した門において、傾斜支持面は支承ローラが内方から接触するよう内向きに設けられていることを特徴とする門。
【請求項７】
請求項１〜６のいずれかに記載した門において、門扉を自動で駆動させる駆動手段を具備したことを特徴とする門。
【発明の詳細な説明】
【技術分野】
【０００１】
本発明は門の脇の地面に対して固定状態で設けられるガイドボックスと、このガイドボックスによって地面から幾分持ち上げられた状態で支持され、門の間口方向にスライドし得る門扉とを備えた、レールを有しない俗にノンレールタイプと呼ばれている引戸形式の門に関するものである。
【背景技術】
【０００２】
この種の従来の門では、門扉の上面と下面にガイドレールとなる支持部材を設け、当該支持部材に対して外方から支承ローラが接触するようにガイドボックス内に支承ローラを設けていた。
しかし門扉の上面に支持部材が存在すると、門扉の上面に俗に剣先と呼ばれている装飾用あるいは防犯用の突起を設けることができなくなってしまう問題がある。
【０００３】
門扉の上面に支持部材が存在する場合には、ガイドボックスの高さ寸法が門扉のそれに比べて極端に大きくなってしまい、ガイドボックスの高さ寸法と門扉の高さ寸法との関係が見た目上、不自然なものになるという問題もある。
また、門扉の下面に支持部材が存在する場合には門扉を自動的にスライドさせるための駆動手段を構成する部材の配置スペースが小さくなり、各部材のレイアウトが制限を受けるという不都合もある。
【発明の開示】
【発明が解決しようとする課題】
【０００４】
本発明は上記背景技術が抱える問題点を踏まえてなされたものであって、ノンレールタイプの門において門扉に剣先を設けることができると共にガイドボックスの高さ寸法を小さくでき、しかも門扉を自動的にスライドさせるための駆動手段を構成する部材の配置スペースを十分確保できる門を提供することを解決しようとする課題とする。
【課題を解決するための手段】
【０００５】
上記課題を解決するために、請求項１に記載した発明は、門扉と、前記門扉に設けられたガイド棧と、地面に対して固定状態で設けられるガイドボックスと、前記ガイドボックスに備えられた複数の支承ローラとを有し、前記ガイド棧に支承ローラが転がり接触して、門扉を地面から幾分持ち上げられた状態でスライド自在に支持する門において、前記ガイド棧を門扉の前面部と後面部に備え、且つ支承ローラを門扉の前面側と後面側に配置したことを特徴とする門である。
【０００６】
請求項２に記載した発明は、請求項１に記載した門において、ガイド棧には傾斜面が設けられ、前記傾斜面を支承ローラの外周面と接触する傾斜支持面としたことを特徴とする門である。
【０００７】
請求項３に記載した発明は、請求項２に記載した門において、傾斜支持面に対して直角な方向から接触するように支承ローラはガイドボックスに対して傾斜姿勢で設けられていることを特徴とする門である。
【０００８】
請求項４に記載した発明は、請求項２に記載した門において、支承ローラの外周面には傾斜支持面と対向するように同一傾斜角度の傾斜転接面が形成されており、前記傾斜支持面に対して当該傾斜転接面が対向する方向から接触するように前記支承ローラはガイドボックスに対して平行な垂直姿勢で設けられていることを特徴とする門である。
【０００９】
請求項５に記載した発明は、請求項２〜４のいずれかに記載した門において、傾斜支持面は前記支承ローラが外方から接触するよう外向きに設けられていることを特徴とする門である。
【００１０】
請求項６に記載した発明は、請求項２〜４のいずれかに記載した門において、傾斜支持面は支承ローラが外方から接触するよう外向きに設けられていることを特徴とする門である。
【００１１】
請求項７に記載した発明は、請求項１〜６のいずれかに記載した門において、門扉を自動で駆動させる駆動手段を具備したことを特徴とする門である。
【発明の効果】
【００１２】
本発明の門によれば、ノンレールタイプの門において門扉に剣先を設けることができる。
ガイドボックスの高さ寸法を小さくでき、しかも門扉を自動的にスライドさせるための駆動手段を構成する部材の配置スペースを十分確保できるようになる。
【発明を実施するための最良の形態】
【００１３】
図１〜図４の図面によって本発明の実施の形態１に係る門１ａを説明する。
門１ａは、地面ＧＬに対して固定状態で設けられるガイドボックス５と、このガイドボックス５によって地面ＧＬから幾分持ち上げられた状態で水平に支持され、門の間口方向Ａにスライド自在に移動し得る門扉７とを備えている。
ガイドボックス５は門の間口方向Ａの端面９、１１を開放し門扉７の出入り口とすると共に、ガイドボックス５の内部に門扉７を支承するための複数個の支承ローラ１３が設けられている。支承ローラ１３は門扉７の前面側と後面側に配置されている。
【００１４】
門扉７の前面部１７と後面部１９には三角形断面をした長杆状のガイド棧１５が門の間口方向Ａに沿うように水平に設けられている。このガイド棧１５には支承ローラ１３の外周面２１と転がり接触する傾斜支持面２３を備えている。
【００１５】
ガイド棧１５が門扉７の前面部１７と後面部１９の上下の同じ位置に２本ずつ計４本設けられている。４本のガイド棧１５の傾斜支持面２３は外向きに設けられている。
ガイドボックス５における門の間口方向Ａ側の端面９、１１寄りの内部には支承ローラ１３が設けられている。支承ローラ１３は門扉７の前面側と後面側にそれぞれ４個ずつ計８個傾斜姿勢で設けられており、外向きに設けられた傾斜支持面２３に外方から接触している。
【００１６】
以下、具体的に各部の構成を説明する。
ガイドボックス５は図１に示すように、地面ＧＬに対してコンクリートで固定したアンカベース２５を設置し、このアンカベース２５上にボルトＢ等を使用して固定される。
ガイドボックス５は図２に示すように門の間口方向Ａの端面９、１１に門扉７が出入りすることができる縦に長い角穴状の開口部２７が形成された厚さ方向に偏平な略角箱状の部材である。
【００１７】
ガイドボックス５の底面にはアンカベース２５上に設置されボルトＢ等を使用してアンカベース２５に固定される取付穴３５がコーナー部に４つ形成された矩形平板状の取付基板２９が設けられている。
取付基板２９の上面には断面逆Ｕ字状の縦に長い天板部３７と側板部３９が一体になったフード部３１が立ち上げられており、当該フード部３１の開放された端面９、１１に対して開口部２７が形成された端面部３３が設けられている。
【００１８】
フード部３１の端面９、１１寄りの側板部３９の内面には門扉７を挟むように左右一対上下一組計４個の支持ブロック４１が設けられている。支持ブロック４１は三角形断面ないし台形断面をしたブロック状の部材であり、支持ブロック４１の一面は約４５°傾斜していて支承ローラ１３を取り付けるための取付傾斜面４３となっている。
取付傾斜面４３の中心には取付傾斜面４３と直角な方向に図示しないネジ穴が刻設されている。このネジ穴と螺合する取付ボルト４７によって円板状の支承ローラ１３が内嵌されるベアリング４９と共に支持ブロック４１に対して転動自在な状態で取り付けられている。取り付けられた状態の支承ローラ１３はガイドボックス５におけるフード部３１の側板部３９に対して約４５°傾斜した傾斜姿勢で支持されている。
【００１９】
門扉７は図３に示すように上部水平フレーム５１と、下部水平フレーム５３と、これら上部水平フレーム５１と下部水平フレーム５３を接続する複数本の垂直フレーム５５と、隣接する垂直フレーム５５間に適宜の間隔を開けて垂直に設けられる多数本の縦格子５７とを備えている。
上部水平フレーム５１と下部水平フレーム５３はほぼ同様の構成を有しており、長尺な矩形平板状の内面板５９と、外面板６１と、これらの間に設けられるスペーサブロック６３とを備えている。
【００２０】
上部水平フレーム５１の内面板５９の上面と、下部水平フレーム５３の内面板５９の下面に対してガイド棧１５が水平に取り付けられている。ガイド棧１５はガイドリブ６５と係合溝６７が形成された取付基部６９と、係合溝６７と係合する取付基部６９とは別体に設けられ、支承ローラ１３に対して直接接触する転接板７１とを備えている。
垂直フレーム５５と縦格子５７は共に縦に長い角筒状の部材であり、垂直フレーム５５は口径が大きく、一方縦格子５７は垂直フレーム５５と比較して口径がかなり小さめに設定されている。また縦格子５７の上部には上部水平フレーム５１を貫通し、更に上方に向けて突出している剣先７３が設けられている。
【００２１】
このように門扉７の上面となる上部水平フレーム５１の外面板６１の上面には支持ブロック４１等、他部材は存在していないから、上述のように剣先７３等を設けることが可能になっている。従って門扉７として種々の高さ、デザインのものを採用することが可能である。
支承ローラ１３を約４５°に傾けて取り付けることによって門扉７の前面側及び後面側のガタ付きが防止されて門扉７の移動が滑らかになっており、支承ローラ１３及び支持ブロック４１に掛かる負荷が荷重の分散によって軽減されている。
【００２２】
以下の実施の形態２〜１０に係る門は、実施の形態１に係る門１ａと同様の構成部分を有するので、同様の構成部分について実施例１において用いた符号を付して、その説明を省略し、実施の形態２〜１０特有の構成のみに絞って言及することとする。
実施の形態２に係る門１ｂは図５に示すように上記実施の形態１と同様、ガイド棧１５が門扉７の前面部１７と後面部１９の上下の同じ位置に２本ずつ計４本設けられている。
しかし上下のガイド棧１５における傾斜支持面２３の向きが上記実施の形態１と上下逆になっており、傾斜支持面２３は支承ローラ１３が内方から接触するよう内向きに設定されている。
またこれに伴って支承ローラ１３と支持ブロック４１の向きも上記実施の形態１のものと上下逆になっている。
【００２３】
このように本実施の形態でも門扉７の上面となる上部水平フレーム５１の外面板６１の上面には実施の形態１と同様、支持ブロック４１等、他部材は存在していないから、図示のように剣先７３等を設けることが可能になっている。また実施の形態１とは逆向きであるが、支承ローラ１３は約４５°に傾けた状態で取り付けられているから門扉７のガタ付きの防止と支承ローラ１３に掛かる負荷の軽減が同様に図られている。
本実施の形態では支承ローラ１３が上下のガイド棧１５の内方に位置することになるのでガイドボックス５の高さ寸法を低くしてガイドボックス５の小型化を図ることが可能になっている。
【００２４】
実施の形態３に係る門１ｃは図６に示すように上記実施の形態１と同様、ガイド棧１５が門扉７の前面部１７と後面部１９の上下の同じ位置に２本ずつ計４本設けられており、ガイド棧１５の傾斜支持面２３は支承ローラ１３が外方から接触するよう外向きに設けられている。
一方、支承ローラ１３の外周面２１にはガイド棧１５の傾斜支持面２３と対向するようにほぼ同一傾斜角度（約４５°）で湾曲している傾斜転接面７５が形成されている。
そして傾斜支持面２３に対して当該傾斜転接面７５が対向する方向から接触するように、支承ローラ１３はガイドボックス５におけるフード部３１の側板部３９に対して平行な垂直姿勢で設けられている。
【００２５】
本実施の形態では上記実施の形態１、２に示すような形状の支持ブロック４１は設けられていないが直方体形状の支持ブロックが設けられている。また支承ローラ１３を直接フード部３１の側板部３９の内壁面に取付ボルト４７によって取り付けることも可能である。
そして本実施の形態によっても上記実施の形態１と同様、剣先７３等の設置が可能であり、門扉７のガタ付きが防止され、支承ローラ１３に掛かる負荷が荷重の分散によって軽減される。
【００２６】
実施の形態４に係る門１ｄは図７に示すように上記実施の形態２と同様、ガイド棧１５が門扉７の前面部１７と後面部１９の上下の同じ位置に２本ずつ計４本設けられており、ガイド棧１５の傾斜支持面２３の向きが、支承ローラ１３が内方から接触するよう内向きに設けられている。
支承ローラ１３の形状と取付姿勢は実施の形態３と同様であり、支承ローラ１３の外周面２１には傾斜転接面７５が形成されており、支承ローラ１３はガイドボックス５におけるフード部３１の側板部３９に対して平行な垂直姿勢で設けられている。
【００２７】
そして本実施の形態によっても実施の形態２と同様、上部水平フレーム５１の外面板６１の上面には支持ブロック４１等、他部材は存在していないから、図示のように剣先７３等を設けることが可能である。また実施の形態３と同様、門扉７のガタ付きの防止と支承ローラ１３に掛かる負荷の軽減が図られている。
実施の形態２と同様、支承ローラ１３が上下のガイド棧１５の内方に位置することになるので、ガイドボックス５の高さ寸法を低くしてガイドボックス５の小型化を図ることが可能になっている。
【００２８】
実施の形態５に係る門１ｅは図８に示すように上記実施の形態４において剣先７３を省略した実施の形態である。これに伴って剣先７３の収容スペースが省略されてガイドボックス５の高さ寸法はかなり低めになり、コンパクトなデザインのガイドボックス５となっている。
そして本実施の形態によっても実施の形態４と同様、門扉７のガタ付きの防止と支承ローラ１３に掛かる負荷の軽減が図られている。また支承ローラ１３が上下のガイド棧１５の内方に位置することに加えて剣先７３の収容スペースの省略によってガイドボックス５の一層の小型化を図ることが可能になっている。
【００２９】
実施の形態６に係る門１ｆは図９及び図１０に示すように上記実施の形態３において門扉７を自動的にスライドさせることのできる駆動手段を組み込んだ実施の形態である。
駆動手段の構成について説明する。
ガイドボックス５には門扉７をスライドさせる駆動モータ７７と、この駆動モータ７７の出力軸に取り付けられるタイミング駆動プーリ７９と、ピニオンシャフト８１の基部側に取り付けられるるタイミング従動プーリ８３と、タイミング駆動プーリ７９とタイミング従動プーリ８３との間に巻回される無端帯状のタイミングベルト８５と、ピニオンシャフト８１の先端側に取り付けられるピニオンギヤ８７とが設けられている。
一方、門扉７における下部水平フレーム５３の外面板６１の下面には上記ピニオンギヤ８７と噛み合うラック８９が設けられている。
【００３０】
そして本実施の形態によっても実施の形態３と同様、剣先７３等の設置が可能であり、門扉７のガタ付きが防止され、支承ローラ１３に掛かる負荷が荷重の分散によって軽減される。
また従来他部材を設けることができなかって門扉７の下面となる下部水平フレーム５３の外面板６１の下面に対しラック８９を設けることが可能となり、門に自動開閉機構を組み込むことが容易になっている。
【００３１】
この門１ｆでは、駆動モータ７７の出力軸が駆動すると、この駆動力はタイミング駆動プーリ７９、タイミングベルト８５、タイミング従動プーリ８３、ピニオンシャフト８１、ピニオンギヤ８７及びラック８９を介して門扉７へ伝達されて、門扉７がスライド駆動する。
【００３２】
実施の形態７に係る門１ｇは図１１に示すように門扉７の前面部１７と後面部１９の上下に２本ずつ計８本のガイド棧１５を設けている。またこれらのガイド棧１５の向きは傾斜支持面２３が内方に向くものと外方に向くものとの２種類が設けられており、各傾斜支持面２３に対して２個ずつ計１６個の支承ローラ１３が接触する構成になっている。
【００３３】
本実施の形態では支承ローラ１３を垂直姿勢で設ける上記実施の形態３と実施の形態４を組み合わせた構成の門になっており、上下の４本のガイド棧１５はそれぞれ外方から各端面９、１１につき４個ずつ計８個の支承ローラ１３によって挟まれた態様で設けられている。
そして本実施の形態によっても上記実施の形態３、４と同様、剣先７３等の設置が可能であり、門扉７のガタ付きが防止され、支承ローラ１３に掛かる負荷が荷重の分散によって軽減される。また門の構造強度が向上するため大型の門にも対応できるようになる。
【００３４】
実施の形態８に係る門１ｈは図１２に示すように上記実施の形態７と同様、計８本のガイド棧１５と計１６個の支承ローラ１３とが設けられており、上下の４本のガイド棧１５はそれぞれ外方から各端面９、１１につき４個ずつ計８個の支承ローラ１３によって挟まれた態様で設けられている。
本実施の形態では支承ローラ１３を傾斜姿勢で設ける上記実施の形態１と実施の形態２を組み合わせた構成の門になっている。
【００３５】
そして本実施の形態によっても上記実施の形態１、２と同様、剣先７３等の設置が可能であり、７のガタ付きが防止され、支承ローラ１３に掛かる負荷が荷重の分散によって軽減される。
また上記の実施の形態７と同様、門の構造強度が向上するため大型の門にも対応できるようになる。
【００３６】
実施の形態９に係る門１ｉは図１３に示すように上記実施の形態７と同様、計８本のガイド棧１５と計１６個の支承ローラ１３とが設けられており、上記実施の形態３と実施の形態４とを組み合わせた構成になっている。
しかし上記実施の形態７と異なり、上下８個ずつの支承ローラ１３が対向する位置にある４本のガイド棧１５の内方に位置する態様で本実施の形態では設けられている。
【００３７】
そして本実施の形態によっても上記実施の形態７と同様、剣先７３等の設置が可能であり、門扉７のガタ付きが防止され、支承ローラ１３に掛かる負荷が荷重の分散によって軽減される。また上記実施の形態７、８と同様、門の構造強度が向上するため大型の門にも対応できるようになる。
【００３８】
実施の形態１０に係る門１ｊは図１４に示すように上記実施の形態８と同様、計８本のガイド棧１５と計１６個の支承ローラ１３とが設けられており、上記実施の形態１と実施の形態２とを組み合わせた構成になっている。また上記実施の形態９と同様、上下８個ずつの支承ローラ１３が対向する位置にある４本のガイド棧１５の内方に位置する態様で設けられている。
【００３９】
そして本実施の形態によっても上記実施の形態１、２と同様、剣先７３等の設置が可能であり、門扉７のガタ付きが防止され、支承ローラ１３に掛かる負荷が荷重の分散によって軽減される。また上記実施の形態７、８、９と同様、門の構造強度が向上するため大型の門にも対応できるようになる。
【００４０】
以上、本発明を実施するための最良の形態として実施の形態１〜１０について詳述してきたが、本発明の具体的構成はこれらの実施の形態に限定されるものではなく、本発明の要旨から外れない範囲での設計変更等があっても本発明に含まれる。
例えば、上記実施の形態１と実施の形態３ないし４を組み合わせたり、上記実施の形態２と実施の形態３ないし４を組み合わせることも可能であり、更に上下の４本のガイド棧１５と８個ずつの支承ローラ１３の配置態様を異ならせることによって形成される他の組み合わせを採用することが可能である。
【００４１】
剣先７３は上記実施の形態５において述べたように上記実施の形態４において省略できる他、上述した他のすべての実施の形態において省略可能である。同様に実施の形態６において述べたように上記実施の形態３において自動開閉機構を組み込める他、上述した他のべての実施の形態において自動開閉機構を組み込むことが可能である。
門扉を自動で駆動させる駆動手段は上記実施の形態６において開示した構成に限定されることなく、同様の作用効果を奏することのできる種々の構成が採用可能である。
【産業上の利用可能性】
【００４２】
本発明は俗にノンレールタイプと呼ばれている引戸形式の門の製造、使用分野等で利用でき、特に門扉に剣先を設けたり、ボックスの高さ寸法を小さくしたり、さらに門の開閉の自動化を容易にしたい場合に利用可能性を有する。
【図面の簡単な説明】
【００４３】
【図１】本発明の実施の形態１に係る門を適用した門の施工例を示す斜視図である。
【図２】本発明の実施の形態１に係る門におけるガイドボックスを示す斜視図である。
【図３】本発明の実施の形態１に係る門における門扉を示す斜視図である。
【図４】本発明の実施の形態１に係る門を示すガイドボックスを破断した状態の側断面図である。
【図５】本発明の実施の形態２に係る門を示すガイドボックスを破断した状態の側断面図である。
【図６】本発明の実施の形態３に係る門を示すガイドボックスを破断した状態の側断面図である。
【図７】本発明の実施の形態４に係る門を示すガイドボックスを破断した状態の側断面図である。
【図８】本発明の実施の形態５に係る門を示すガイドボックスを破断した状態の側断面図である。
【図９】本発明の実施の形態６に係る門を示すガイドボックスを破断した状態の側断面図である。
【図１０】本発明の実施の形態６に係る門におけるラック、ピニオンの噛合い部周辺を拡大して示す斜視図である。
【図１１】本発明の実施の形態７に係る門を示すガイドボックスを破断した状態の側断面図である。
【図１２】本発明の実施の形態８に係る門を示すガイドボックスを破断した状態の側断面図である。
【図１３】本発明の実施の形態９に係る門を示すガイドボックスを破断した状態の側断面図である。
【図１４】本発明の実施の形態１０に係る門を示すガイドボックスを破断した状態の側断面図である。
【符号の説明】
【００４４】
１ａ、１ｂ、１ｃ、１ｄ、１ｅ、１ｆ、１ｇ、１ｈ、１ｉ、１ｊ  門
５  ガイドボックス      ７  門扉
９  端面      １１  端面      １３  支承ローラ      １５  ガイド棧
１７  前面部      １９  後面部      ２１  外周面      ２３  傾斜支持面
２５  アンカベース      ２７  開口部      ２９  取付基板
３１  フード部      ３３  端面部      ３５  取付穴      ３７  天板部
３９  側板部      ４１  支持ブロック      ４３  取付傾斜面
４７  取付ボルト      ４９  ベアリング      ５１  上部水平フレーム
５３  下部水平フレーム      ５５  垂直フレーム      ５７  縦格子
５９  内面板      ６１  外面板      ６３  スペーサブロック
６５  ガイドリブ      ６７  係合溝      ６９  取付基部      ７１  転接板
７３  剣先      ７５  傾斜転接面      ７７  駆動モータ
７９  タイミング駆動プーリ      ８１  ピニオンシャフト
８３  タイミング従動プーリ      ８５  タイミングベルト
８７  ピニオンギヤ      ８９  ラック      ＧＬ  地面      Ａ  間口方向
Ｂ  ボルト
【図１】
2007070814.tif 000003
【図２】
2007070814.tif 000004
【図３】
2007070814.tif 000005
【図４】
2007070814.tif 000006
【図５】
2007070814.tif 000007
【図６】
2007070814.tif 000008
【図７】
2007070814.tif 000009
【図８】
2007070814.tif 000010
【図９】
2007070814.tif 000011
【図１０】
2007070814.tif 000012
【図１１】
2007070814.tif 000013
【図１２】
2007070814.tif 000014
【図１３】
2007070814.tif 000015
【図１４】
2007070814.tif 000016